【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
第１の電圧源と第２の電圧源との間で切り換える方法であって、
第１の電圧源を負荷から分離するステップと、
第１の電圧源および第２の電圧源の電圧波形の下のボルト秒面積をリアルタイムで計算するステップと、
ボルト秒面積のリアルタイム計算に基づいて、下流側飽和電流を最小限に抑えるようにスイッチング時間を決定するステップと、
決定されたスイッチング時間に、第２の電圧源を負荷に接続するステップとを含む、方法。
【請求項２】
ボルト秒面積のリアルタイムで計算するステップが、対応する電圧の極性に基づいて、各ボルト秒面積に極性を割り当てるステップを含む、請求項１に記載の方法。
【請求項３】
決定されたスイッチング時間に第２の電圧源を負荷に接続するステップが、ほぼ等しく極性が反対である、第１の電圧源および第２の電圧源の波形の下の面積の絶対値に応答して、第２の電圧源を負荷に接続するステップを含む、請求項２に記載の方法。
【請求項４】
決定されたスイッチング時間に第２の電圧源を負荷に接続するステップが、第２の電圧の完全半サイクルの波形の下の面積の絶対値にほぼ等しく極性が同じである、第１の電圧源および第２の電圧源の波形の下の面積の絶対値の合計に応答して、第２の電圧源を負荷に接続するステップを含む、請求項２に記載の方法。
【請求項５】
第１の電圧源を負荷から分離するステップが、第１のスイッチを非作動にさせるステップを含む、請求項１に記載の方法。
【請求項６】
所定のスイッチング時間に第２の電圧源を負荷に接続するステップが、第２のスイッチを作動させるステップを含む、請求項１に記載の方法。
【請求項７】
第１の電圧源と第２の電圧源との間で切り換える方法であって、
第１の電圧源を負荷から分離するステップと、
リアルタイムで第１の電圧および第２の電圧に対応するフラックスを決定するステップと、
リアルタイムのフラックス決定に基づいて、下流側飽和電流を最小限に抑えるようにスイッチング時間を決定するステップと、
決定されたスイッチング時間に、第２の電圧源を負荷に接続するステップとを含む、方法。
【請求項８】
フラックスのリアルタイムの決定が、フラックスを測定するステップを含む、請求項７に記載の方法。
【請求項９】
フラックスのリアルタイムの決定が、電圧の時間積分を計算するステップを含む、請求項７に記載の方法。
【請求項１０】
決定されたスイッチング時間に第２の電圧源を負荷に接続するステップが、ほぼ等しい第１の電圧および第２の電圧の時間積分に応答して、第２の電圧源を負荷に接続するステップを含む、請求項９に記載の方法。
【請求項１１】
第１の電圧源を負荷から分離するステップが、第１のスイッチを非作動にさせるステップを含む、請求項７に記載の方法。
【請求項１２】
所定のスイッチング時間に第２の電圧源を負荷に接続するステップが、第２のスイッチを作動させるステップを含む、請求項７に記載の方法。
【請求項１３】
切換えスイッチシステムであって、
第１の電圧源に接続可能な第１のスイッチと、
第２の電圧源に接続可能な第２のスイッチと、
第１のスイッチおよび第２のスイッチに接続され、第１のスイッチまたは第２のスイッチを負荷に変圧器を介して選択的に接続するように、第１のスイッチおよび第２のスイッチを作動させまた非作動にさせるコントローラとを備え、
コントローラが、第１の電圧源および第２の電圧源の電圧レベルならびに負荷変圧器に印加された電圧を表す信号を受け取る入力を有し、予め決められた条件に基づいて、コントローラが、
第１のスイッチを非作動にさせて第１の電圧源を負荷から分離し、
リアルタイムに第１の電圧源および第２の電圧源の電圧波形の下のボルト秒面積を計算し、
ボルト秒面積のリアルタイム計算に基づいて、下流側飽和電流を最小限に抑えるようにスイッチング時間を決定し、
決定されたスイッチング時間に第２の電圧源を負荷に接続する、切換えスイッチシステム。
【請求項１４】
ボルト秒面積のリアルタイム計算が、対応する電圧の極性に基づいて、極性を各ボルト秒面積に割り当てることを含む、請求項１３に記載の切換えスイッチシステム。
【請求項１５】
コントローラが、ほぼ等しく極性が反対である、第１の電圧源および第２の電圧源の波形の下の面積の絶対値に応答して、第２のスイッチを作動させる、請求項１４に記載の切換えスイッチシステム。
【請求項１６】
コントローラが、第２の電圧の完全半サイクルの波形の下の面積の絶対値にほぼ等しく極性が同じである、第１の電圧源および第２の電圧源の波形の下の面積の絶対値の合計に応答して、第２のスイッチを作動させる、請求項１４に記載の切換えスイッチシステム。
【請求項１７】
切換えスイッチシステムであって、
第１の電圧源に接続可能な第１のスイッチと、
第２の電圧源に接続可能な第２のスイッチと、
第１のスイッチおよび第２のスイッチに接続され、第１のスイッチおよび第２のスイッチを負荷に変圧器を介して選択的に接続するように、第１のスイッチおよび第２のスイッチを作動させまた非作動にさせるコントローラとを備え、
コントローラが、第１の電圧源および第２の電圧源の電圧レベルならびに負荷変圧器に印加された電圧を表す信号を受け取る入力を有し、予め決められた条件に基づいて、コントローラが、
第１のスイッチを非作動にさせ第１の電圧源を負荷から分離し、
リアルタイムに第１の電圧および第２の電圧に対応するフラックスを決定し、
リアルタイムのフラックス決定に基づく、下流側飽和電流を最小限に抑えるスイッチング時間を決定し、
決定されたスイッチング時間に第２の電圧源を負荷に接続する、切換えスイッチシステム。
【請求項１８】
フラックスのリアルタイム決定が、フラックスを測定することを含む、請求項１７に記載の切換えスイッチシステム。
【請求項１９】
フラックスのリアルタイム決定が、電圧の時間積分を計算することを含む、請求項１７に記載の切換えスイッチシステム。
【請求項２０】
コントローラが、ほぼ等しい第１の電圧および第２の電圧の時間積分に応答して、第２のスイッチを作動させる、請求項１９に記載の切換えスイッチシステム。
【請求項２１】
無停電電源システムであって、
第１の電圧源と、
第２の電圧源と、
第１の電圧源に接続された第１のスイッチと、
第２の電圧源に接続された第２のスイッチと、
変圧器を第１の電圧源または第２の電圧源に選択的に接続するように、第１のスイッチおよび第２のスイッチに接続される入力を有し、かつ負荷に接続可能な出力端子を有する変圧器と、
第１のスイッチおよび第２のスイッチに接続され、第１のスイッチまたは第２のスイッチを変圧器に選択的に接続するように、第１のスイッチおよび第２のスイッチを作動させまた非作動にさせるコントローラとを備え、
コントローラが、第１の電圧源および第２の電圧源の電圧レベルならびに変圧器入力に印加された電圧を表す信号を受け取り、予め決められた条件に基づいて、コントローラが、
第１のスイッチを非作動にさせて第１の電圧源を変圧器から分離し、
第１の電圧源および第２の電圧源の電圧波形の下のボルト秒面積をリアルタイムで計算し、
ボルト秒面積のリアルタイム計算に基づいて、下流側飽和電流を最小限に抑えるようにスイッチング時間を決定し、
決定されたスイッチング時間に第２の電圧源を変圧器に接続する、無停電電源システム。
【請求項２２】
ボルト秒面積のリアルタイム計算が、対応する電圧の極性に基づいて、極性を各ボルト秒面積に割り当てることを含む、請求項２１に記載の切換えスイッチシステム。
【請求項２３】
コントローラが、ほぼ等しく極性が反対である、第１の電圧源および第２の電圧源の波形の下の面積の絶対値に応答して、第２のスイッチを作動させる、請求項２２に記載の切換えスイッチシステム。
【請求項２４】
コントローラが、第２の電圧の完全半サイクルの波形の下の面積の絶対値にほぼ等しく極性が同じである、第１の電圧源および第２の電圧源の波形の下の面積の絶対値の合計に応答して、第２のスイッチを作動させる、請求項２２に記載の切換えスイッチシステム。
【請求項２５】
無停電電源システムであって、
第１の電圧源と、
第２の電圧源と、
第１の電圧源に接続された第１のスイッチと、
第２の電圧源に接続された第２のスイッチと、
変圧器を第１の電圧源または第２の電圧源に選択的に接続するように、第１のスイッチおよび第２のスイッチに接続される入力を有し、かつ負荷に接続可能な出力端子を有する変圧器と、
第１のスイッチおよび第２のスイッチに接続され、第１のスイッチまたは第２のスイッチを変圧器に選択的に接続するように、第１のスイッチおよび第２のスイッチを作動させまた非作動にさせるコントローラとを備え、
コントローラが、第１の電圧源および第２の電圧源の電圧レベルならびに変圧器入力に印加された電圧を表す信号を受け取り、予め決められた条件に基づいて、コントローラが、
第１のスイッチを非作動にさせて第１の電圧源を変圧器から分離し、
第１の電圧および第２の電圧に対応するフラックスをリアルタイムで決定し、
リアルタイムのフラックス決定に基づいて、下流側飽和電流を最小限に抑えるようにスイッチング時間を決定し、
決定されたスイッチング時間に第２の電圧源を変圧器に接続する、無停電電源システム。
【請求項２６】
フラックスのリアルタイムの決定が、フラックスを測定することを含む、請求項２５に記載の切換えスイッチシステム。
【請求項２７】
フラックスのリアルタイムの決定が、電圧の時間積分を計算することを含む、請求項２６に記載の切換えスイッチシステム。
【請求項２８】
コントローラが、ほぼ等しい第１の電圧および第２の電圧の時間積分に応答して、第２のスイッチを作動させる、請求項２７に記載の切換えスイッチシステム。